Podtech/llm-jp-corpus-v4-ja_patent huggingface dataset:
(57)【要約】      （修正有）【課題】お守りとして身につける宝石やパワーストーンを人目を気にせず装着できるチェーンを提供する。【解決手段】ブラジャーの肩ひものリングにフックをつけたチェーンを装着してお守りチェーンとする。【選択図】図２
2011024982.tif 000002
【特許請求の範囲】
【請求項１】
ブラジャーの両方の肩ひものリングにチェーンをつけて装着する
【発明の詳細な説明】
【技術分野】
【０００１】  この発明は、お守りとして身につけたい宝石やパワーストーンのお守りを人に見られず安心して身に付ける事ができる。
【背景技術】
【０００２】  従来、ネックレスとして身に付けたり、ポケットに入れたりバッグの中に入れて持っていた。
【発明の開示】
【発明が解決しようとする課題】
【０００３】  女性は服装に合ったアクセサリーをして、オシャレを楽しみたいし、お守りのパワーストーンも毎日身につけたいという両方を解決する
【課題を解決するための手段】
【０００４】  ブラジャーの両方の肩ひものリングにチェーンをつけて装着する。
以上の構成からなるお守りチェーンである。
【発明の効果】
【０００５】  したがって、服の外からは見えないので、安心して毎日装着でき汗などで首にくいこんだりする不快感がなくなり、服装に合ったアクセサリーをして楽しむ事ができる。
お守りとしての親近感が強く感じられる。
【発明を実施するための最良の形態】
【０００６】以下、本発明の実施形態について説明する。
イ）チェーンに引き輪つきの丸カンを通し、両端にフック（かにかん）をつけている
ロ）メーカーによってブラジャーのリングの位置が異なるため、チェーンの長さは２段階に調整できる。
ハ）リングのないブラジャーの肩ひもでもダルマカンをぬいつけることで簡単に装着できる
本発明は以上の構成からなるお守りチェーンである。
【図面の簡単な説明】
【０００７】
【図１】本発明の平面図
【図２】本発明の原理説明図
【図３】本発明の使用説明図
【０００８】  １は  フック（かにかん）
２は  チェーン
３は  引き輪つきまるかん
４は  お守りの宝石やパワーストーン
【図１】
2011024982.tif 000003
【図２】
2011024982.tif 000004
【図３】
2011024982.tif 000005
(57)【要約】      （修正有）【課題】電力を使わずに、自然の風のほか、送風機などの一定に吹く風なども利用して、従来品よりも慣性質量があるが自由なデザインの物体を、常に一定方向に回動させた回転飾りを提供する。【解決手段】回転飾りを磁石の吸着作用を利用して吊り下げる。また、容易に回転するよう、回転飾りの磁石との接触部に丸みを持たせる。【選択図】図１
2011024968.tif 000002
【特許請求の範囲】
【請求項１】
回転体が磁石の接触で吊り下がっている回転飾りおもちゃ
【請求項２】
回転体が磁石の接触で吊り下がり，回転により電気を発生させる回転飾りおもちゃ
【発明の詳細な説明】
【技術分野】
【０００１】  本発明は、主に室内インテリアとしての活用を目的とする、風力を利用した回転飾り装置である。
【背景技術】
【０００２】  本発明に類似の技術に、特許文献１がある。この技術では、微風力を敏感に捉えるため、回転体の慣性質量を小さくする必要がある。更に回転飾りを糸により吊り下げているため、ある程度回転すると糸の弾性により逆回転が始まる。他に、このような回動式の吊り飾りに、主に幼児向けのおもちゃである「メリー」があるが、動力に家庭用電源、電池等を必要とする。
【特許文献１】特開２００５−２８８０７８  （Ｐ２００５−２８８０７８Ａ）  公開日  平成１７年１０月２０日（２００５．１０．２０）
【発明の開示】
【発明が解決しようとする課題】
【０００３】  前述のとおり、従来の風力を利用した回転飾り装置は慣性質量を小さくする必要があった。よって自ずと飾りのデザインや内容には制約がなされる。また、送風機などの風を利用すれば、より質量のあるものを回転させることができるが、吊り下げ糸の弾性による逆回転や糸の強度のため、常に一つの方向への回転は困難である。一方、人為的なエネルギーの電力を利用すると、回転方向やデザインの制約は無くなるが、配線や電池交換などの煩わしさがある。風力の利用はエネルギーの節約につながり、また、風が生み出す回転の自然なリズムは人間にとって心地よく、回転飾りのインテリアとしての効能をよくひきだすことができる。本発明は電力を使わず、自然の風のほか、送風機などの一定に吹く風なども利用して、従来品より慣性質量があるが自由なデザインの物体を回動させる方法について解決することを課題とした。
【課題が解決するための手段】
【０００４】  この課題を解決するため、本発明は、回転飾りを糸で吊り下げるのではなく、磁石による吸着により吊り下げることとした。更に図１に示すように上部への固定部、回動部とそれに付随する受風部から構成し、受風部で風力を受けるようにした。そして受けた力を効率よく回転力に変えられるよう、回転軸の支点である、固定部と回動部の接点を細くした。ここで固定部には磁石を設けており、それに引力で呼応する材質から成る回動部の上端が接触し、回動部と受風部が吊り下がっている。更に回動部の上端は、回転が容易になるよう、磁石との接触面積を小さくしながらも、磁石とは適度に引力が作用するよう、丸みを帯びている。
【発明の効果】
【０００５】  回動部と受風部を磁石で吊り下げたことにより、常に一定方向への回転が可能となった。更に固定部と回動部との接点である回転軸の支点を細くしているため、回転運動がしやすくなっている。送風機などの風を利用すれば、自然の風よりも更に質量のある物体を回転させることができ、回転飾りのデザインや内容の自由度が広がる。なお、回転には風の力を利用しているため、電気配線や電池交換の必要性は無い。
【発明を実施するための最良の形態】
【０００６】  本発明は図１のように、固定部、回動部、受風部で構成される。固定部には磁石を取り付け、回動部の上端と接触させる（接点Ａ）。また、回動部の落下防止のための受けを設ける。次に、回動部の上部は、磁性に呼応する材質とし、その上端は丸みを帯びた形状とする。これは固定部の磁石との接触面積を小さくし、回転摩擦を抑えながらも、接点Ａを支点として傾斜した場合でも、固定部と適度な接触を常に保つためである。【０００７】  次に、回動部に受風部を取り付け、風の煽りを受けやすくする。ここで支点（接点Ａ）から伸びる受風部の中心線の左右で、風の推力に差を生じると、回動部の支点（接点Ａ）は細くなっているため、容易に回転運動のモーメントとなって、回動部と受風部は中心線を軸として回転運動をする。【０００８】  受風部の中心線の左右での、風の推力の差は、風自体が位置により強さが不均一であることや、回動部、受風部の中心線の左右での意匠、形状の違いから引き起こされる。ここで左右での推力の差を生じさせるための一つの実施例を述べる。回動部に図２のような形状のシーソーを設ける。シーソーは、中心線上を支点とし、両端に受風部およびバネを接続する。また受風半円板を設ける。シーソーが風による振動等により一方へ垂下すると、中心線の左右での半円板の面積に差を生じ、風から受ける推力に差を生じる。なお、垂下したシーソーは両端のバネの弾性力により復元する。これら一連のシーソーの上下運動による半円板の移動は、中心線左右で風から受ける推力に差を生じ、緩やかではあるが、受風体の回転の原動力となる。【０００９】  本作品の形態として，もう１つ，風による回転運動を発電作用に応用したものを図３に挙げる。これは固定部に，回動部を囲むように磁石を取り付け，回動部にコイルを取り付けると，回転によりコイルに電流が流れるというものである。
【産業上の利用可能性】
【０００９】  本発明は、室内インテリアとして、一般家庭等でその装飾や運動の様子を観賞する。
【図面の簡単な説明】
【図１】  全体図
【図２】  回動部に設けられたシーソー
【図３】  本作品に発電作用を持たせたもの
【図１】
2011024968.tif 000003
【図２】
2011024968.tif 000004
【図３】
2011024968.tif 000005
(57)【要約】【課題】  ピンチハンガーに干した洗濯物を目隠しし、かつ脱着が簡単で洗濯物といっしょに洗濯機で洗える目隠しネットを提供する。【解決手段】ネットの上縁部にワイヤーを入れ、ワイヤー通し布地両端にマジックテープ（登録商標）を設けることで、脱着が簡単で、ワイヤーを外せば洗濯も簡単にできることを特徴とするランジェリー干し目隠しネット。【選択図】図１
2011024961.tif 000002
【特許請求の範囲】
【請求項１】
ネット地の上縁部に一端を開けたワイヤー通し布地を設け、ワイヤーを挿入し、ワイヤー通し布地の閉じた側端と裏面の反対側端にマジックテープ（登録商標）を設け、ワイヤーの挿入・取り出しを容易にするためにワイヤーの両端にプラスチック製のビーズのようなものを設け、ワイヤーを取り出せば洗濯機で洗うことができることを特徴とするランジェリー干し目隠しネット。
【発明の詳細な説明】
【技術分野】
【０００１】本発明は、ピンチハンガーに干した洗濯物を目隠しするものである。
【背景技術】
【０００２】従来、ピンチハンガー用の目隠しネットがあった。
【先行技術文献】
【０００３】
【特許文献１】  登録実用新案第３０８０４６４号
【特許文献２】  登録実用新案第３０７６６１２号
【発明の概要】
【発明が解決しようとする課題】
【０００４】  そのために、次のような問題点があった。
（イ）使用するたびに柔らかいネット地の上部をヒモで結ぶのは、困難で面倒であった。
（ロ）ファスナーの開閉は、ネットをハンガーに被せた不安定な状態では、困難であった。
本発明は、これらの問題を解決するためになされたものである。
【課題を解決するための手段】
【０００５】  ネット地の上縁部に一端を開けたワイヤー通し布地を設け、ワイヤーを挿入する。ワイヤー通し布地の閉じた側端と裏面の反対側端にマジックテープ（登録商標）を設ける。ワイヤーの挿入・取り出しを容易にするためにワイヤーの両端にプラスチック製のピーズのようなものを設ける。ワイヤーを取り出せば洗濯機で洗うことができる。
以上を特徴とするランジェリー干し目隠しネットである。
【発明の効果】
【０００６】  ネット地の上縁部にワイヤーを入れ、マジックテープ（登録商標）をワイヤー通し布地の両端に設けることで柔らかいネット地でも簡単にピンチハンガーに脱着ができる。柔らかいネット地の上部をヒモで結ぶ必要がなく、ファスナーを開閉する手間もない。ワイヤー通し布地の一端を開けワイヤーを外すことができ、ワイヤーを外せば他の洗濯物といっしょに洗濯機で洗うことができる。
【図面の簡単な説明】
【０００７】
【図１】  本発明の使用状態を示す斜視図
【図２】  本発明の展開図
【図３】  本発明に使用するワイヤーの平面図
【発明を実施するための形態】
【０００８】  以下、本発明の実施の形態について説明する。
（イ）ネット地（１）の上縁部に一端を開けたワイヤー通し布地（２）を設け、ワイヤー（４）を挿入する。
（ロ）ワイヤー通し布地（２）の閉じた側端と裏面の反対側端にマジックテープ（３）を設ける。
（ハ）ワイヤー（４）の挿入・取り出しを容易にするためにワイヤー（４）の両端にプラスチック製ビーズ（５）のようなものを設ける。
（ニ）ワイヤー（４）を取り出せば洗濯機で洗うことができる。
本発明は、以上のような構成で、これを使用するときは、ワイヤー通し布地（２）の両端に設けたマジックテープ（３）部を持ちピンチハンガーの縁を囲むようにマジックテープ（３）で止める。
【符号の説明】
【０００９】      １    ネット地
２    ワイヤー通し布地
３    マジックテープ
４    ワイヤー
５    プラスチック製ビーズ
【図１】
2011024961.tif 000003
【図２】
2011024961.tif 000004
【図３】
2011024961.tif 000005
(57)【要約】【課題】従来の、枠内に色を塗るだけの塗り絵に、数唱の反復を取り入れ、知能、能力の発達や維持に貢献できる塗り絵を提供する。【解決手段】見本となる図案にマス目を印刷し、もう一枚のマス目だけの用紙に図案と同色の「×」を書き入れ、見本の図案と同様の絵を完成させる。塗り絵にマス目を使用し、色を塗る部分に「×」を使用するのを特徴とする。【選択図】図１
2011024963.tif 000002
【特許請求の範囲】
【請求項１】
マス目のついた図案を見本とし、もう一枚のマス目だけの用紙のマス目に、図案と同色の「×」を書き込み、図案と同様の絵を完成させる塗り絵。
【発明の詳細な説明】
【技術分野】
【０００１】    この発明は、図案を見ながらマス目に「×」印を書き込むクロス塗り絵に関するものである。
【背景技術】
【０００２】    従来の塗り絵は図案の枠内にきれいに色を塗って仕上げるという指先の作業に重点が置かれていた。
【発明の開示】
【発明が解決しようとする課題】
【０００３】    従来の塗り絵では、枠内に色を塗る作業が主であるが、本発明はマス目の数を数えながら同色の「×」を書き込むという、数唱の反復に重点を置き、商品にしようと考えた。
【課題と解決するための手段】
【０００４】    見本となる図案の上にマス目をつける。同じ数のマス目のついた用紙を用意する。図案のマス目の縦横を数え、図案と同色の色えんぴつ又は色サインペン等を用いて、「×」を書き込み図案と同様の絵を完成させる。
【発明の効果】
【０００５】    本発明は数唱の反復と指先の細かい作業が同時に行われる為、幼児の知能発達の一助、また高齢者には作業治療法としての効果が期待される。また、図案と同様の絵を完成させることによって、達成感も得られる。
【発明を実施するための最良の形態】
【０００６】    マス目の数や図案の難易度で、様々な年齢や能力に応じることができ、徐々にステップアップできることが容易である。
【図面の簡単な説明】
【０００７】
【図１】  本発明の平面図である。
【符号の説明】
【０００８】  ａはマス目の書かれた図案【０００９】  ｂは「×」を書き入れる為のマス目の入った用紙
【図１】
2011024963.tif 000003
(57)【要約】【課題】本発明は洗濯物干し用具である「折りたたみ式ピンチ付角ハンガー」を複数以上まとめて収納出来て、かつ出し入れし易いものが商品として存在しないために考案した「折りたたみ式ピンチ付角ハンガー収納用具」である。ピンチがたくさん付いているため、複数以上いくつもまとめて重ねたり立てたりするとからまって手間取り、とても収納しにくい点に着目し、その不便さを解消して収納できる用具を提供するものである。【解決手段】図１にあるようにこの用具は収納ポケットが５ヶ所あり折りたたんだ角ハンガーを入れて収納する。また取っ手付きで持ち運びに便利であり、各ポケットＡからＥはジャバラ形式になっているので、ケース全体をスリムにたたむことが出来、使用しない時も場所を取らない。【選択図】図１
2011024991.tif 000002
【特許請求の範囲】
【請求項１】
洗濯物干しである「折りたたみ式ピンチ付角ハンガー」を家庭内の狭い洗濯場でも場所を取らずにコンパクトにまとめて収納できるものがなかったことを解決し、「折りたたみ式ピンチ付角ハンガー」自体の劣化も、ある程度防ぐことのできる収納用具である。
【請求項２】
何よりも、家庭で毎日使用されている「折りたたみ式ピンチ付角ハンガー」はピンチが付いていることによってからまり、収納しにくいのが難点であったが、個別のポケットに収納出来かつ収納しない時でもジャバラ式になっているので折りたたむことが出来場所を取らずに置いておくことが出来る。
【発明の詳細な説明】
【技術分野】
【０００１】本発明は洗濯物を干す用具である折りたたみ式のピンチ付角ハンガーを収納するための用具に関するものである。
【背景技術】
【０００２】従来は、洗濯物を干す折りたたみピンチ付角ハンガーを収納する用具はなかった。
【発明の概要】
【発明が解決しようとする課題】
【０００３】洗濯物干しであるピンチ付の角ハンガーそのものを収納するものが、商品として存在しないため非常に不便である。
【課題を解決するための手段】
【０００４】折りたたみ式のピンチ付角ハンガーを収納するケースを作ることにより１ヶ所にまとめて収納することが可能になる。また本発明品は取っ手付きで持ち運ぶことが出来、ジャバラ式にすることでスリムになる。
【発明の効果】
【０００５】ただでさえ狭い洗濯場にピンチ付の角ハンガーを壁に立てかけて置いたり、風呂場のシャワーカーテンのカーテンレールに並べて掛けたり、湯船の風呂フタの上に置いたりして何とか方法はないものかといつも感じていた。
洗濯物を干す用具として殆どの人が持っているとても便利な角ハンガーであるのに、未使用時には一転して置き場所に苦労するのである。
また屋外に置き場所を求めベランダの物干しざおや、張った物干し用のロープなどに掛けておくと特に道路に面した家や、高速道路沿いのマンションなどは大型トラック、車などの排気ガス、粉じんなどで１日経過しただけでも汚れが付着し洗濯ものを汚す傾向がある。
さらに角ハンガーは各家庭にいくつもあるのでまとめて重ねたり立てかけたりするとピンチが互いにからまり、はずすのにとても手間取ってしまう。しかも力の加え具合によってはピンチが欠けたり壊れたりする。
これらを簡単に１個ずつ収納しまた取り出し易くすることによって、プラスチックで出来た角ハンガーやピンチあるいは金属で出来た製品でも壊れにくくなる。屋外に置きっぱなしにするデメリットで大きいのは日光の熱や紫外線、雨、風などによる影響であろう。これらの気象条件の下での製品の劣化をかなり遅らせることが出来るのは家計にとってもプラスになる。またエコロジーの視点からも、物を大事に使うという点でも効果があると考える。
以上述べたように毎日行う洗濯という行為の中で少しでも効率を上げ、日常の不便さ、イライラ感を本製品を商品として出すことで解消し、生活に役立ち、喜こんで、もらえるという思いが毎日洗濯をしている私の実感であり願いである。
【図面の簡単な説明】
【０００６】
【図１】本発明の全体図である
【図２】真上から見た図である
【発明を実施するための形態】
【０００７】図面の図１にあるように、折りたたみ式ピンチ付角ハンガーを個別に収納出来るポケットが５個つながっており、それぞれのポケットの両脇は外側への山折り、また底面も山折りで圧縮してたたむことが出来、コンパクトになる形状になっている。
山折りにしたのはサッと入れ易くするためであるが谷折りでもそれが可能ならばその限りではない。
・図１のＡＢＣＤＥに上から入れて収納する。
・図１の５の山折りは場合により谷折りでも可能である。
・１、２は持ち運びに便利な取っ手である。
・図２の３と４は収納ケースの広い方の両面にあたり、手で折りたたむ時、手で押す面になるので内側のポケット部分よりもこの二つの面は丈夫な素材を用いること。
また販売されている折りたたみ式ピンチ付角ハンガーは、大きさも色いろあるので本発明もそれに合った大きさ、例えばＭサイズＬサイズなどあれば便利である。
前述のように本発明は製品として販売されていないため実際に製品化する場合は具体的に図１．図２のような形状で機能を発揮すると考える。収納の対象である折りたたみ式ピンチ付き角ハンガーの形や大きさを考え、最も使い易い標準的な大きさのケースを決定するようにしたい。
また、製品の色については多種類のカラーを使用出来、特に図２の外側にあたる両面には、パッと見た時に楽しくなるようなもの、あるいはインテリアとしても視覚に於いて耐え得るデザインが描かれることがベストだと思われる。単一の色でまとめてもよいし、最初に見た時の印象はとても重要である。
【符号の説明】
【０００８】１  取っ手
２  取っ手
３  収納ケースの外側の面
４  収納ケースの３に対面する外側の面
５  「折りたたみ式ピンチ付角ハンガー」を１つずつ収納するポケットで、５つのポケットがつながっており、山折りになっているためジャバラ式にすることで収納ケースを折りたたむことが出来る。
６  収納ケースのポケットの底にあたる部分もそれぞれ山折りになっているので折りたたむことが出来る。
７  Ａ、Ｂ、Ｃ、Ｄ、Ｅと個別に収納するポケットが５ヶ所ある。
【図１】
2011024991.tif 000003
【図２】
2011024991.tif 000004
(57)【要約】【課題】  本発明は、４枚で構成されたシートを熱加工によりシールし、２枚で構成されたエアー物より、長く膨らませた状態を維持できる４枚のシートを使ったエアー物における加工方法を提供する。【解決手段】  ４枚で構成されたシートにシート部（１）、シート部（２）、シート部（３）、シート部（４）、逆止弁（５）、空気層（６）を設け、シート部（１）、シート部（２）、シート部（３）、シート部（４）に熱溶着をしてシール加工を行い、シート部（２）、シート部（３）に熱溶着にて逆止弁（５）を取り付け、逆止弁（５）より気体を注入した際、シート部（２）、シート部（３）に空気層（６）を形成する４枚のシートを使ったエアー物における加工方法である。【選択図】図１
2011024998.tif 000002
【特許請求の範囲】
【請求項１】
４枚のシートを使ったエアー物における加工方法において、４枚で構成されたシートに、シート部（１）、シート部（２）、シート部（３）、シート部（４）、逆止弁（５）、空気層（６）を設け、シート部（１）、シート部（２）、シート部（３）、シート部（４）に熱溶着をしてシール加工を行い、シート部（２）、シート部（３）に熱溶着にて逆止弁（５）を取り付け、逆止弁（５）より気体を注入した際、シート部（２）、シート部（３）に空気層（６）を形成する４枚のシートを使ったエアー物における加工方法を提供する。
【請求項２】
４枚のシートを使ったエアー物において、４枚のシートを重ね合わせシールすることにより、空気層（６）に空気を注入した際、シート部（１）、シート部（４）とシート部（２）、シート部（３）との空気膨張率が異なることにより、従来の形状以外の形を形成させることが可能になり、アルファベットや数字の様な複雑な形状のバルーンを形成させるバルーンを提供する。
【発明の詳細な説明】
【技術分野】
【０００１】  本発明は、４枚で構成されたシートを熱加工によりシールし、２枚で構成されたエアー物より、長く膨らませた状態を維持できる４枚のシートを使ったエアー物における加工方法に関するものである。
【背景技術】
【０００２】  従来、２枚で構成されたシートを熱加工にてシールを行い、気体を注入した際、２枚で構成されたシートからは時間がたつにつれ気体が抜け収縮するのが早く、空気の収縮の少ないエアー物の開発が望まれていた。【０００３】  ２枚で構成されたシートにはラミネート等の技法があるが、シートごとのガスバリア性の差が激しく、安定したガスバリア性のよいエアー物のシートの開発が望まれていた。
【発明の概要】
【発明が解決しようとする課題】
【０００４】  解決しようとする課題は、２枚で構成されたエアー物より、より長い時間、ガスバリア性を維持出来る商品の開発が望まれていた。
また、バルーンを形成させるにはシール部の強度が重要であり、空気を注入した際、外周部（７）と内周部（８）の空気膨張率が異なり外周部に比べ、内周部（８）の張りが強くなり、内周部（８）のシール面から空気が漏れることがありその問題点を解決するエアー物の開発を提供する。
【課題を解決するための手段】
【０００５】  本発明は、シート部（１）、シート部（２）、シート部（３）、シート部（４）、逆止弁（５）、空気層（６）を設け、シート部（１）、シート部（２）、シート部（３）、シート部（４）に熱溶着をしてシール加工を行い、シート部（２）、シート部（３）に熱溶着にて逆止弁（５）を取り付け、逆止弁（５）より気体を注入した際、シート部（２）、シート部（３）に空気層（６）を形成する４枚のシートを使ったエアー物における加工方法。
【発明の効果】
【０００６】  以上説明した様に本発明によれば、４枚のシートを使ったエアー物はシートの種類は関係なく、シートとシートが熱溶着にてシールを行うことの出来るものであれば、２枚のシートで同様の商品の作った物に比べ形状の安定したエアー物を提供することができる。
【図面の簡単な説明】
【０００７】
【図１】  本発明の４枚のシートの構成を示した説明図。
【図２】  本発明の４枚のシートをエアー物にした際の構成を示した説明図。
【図３】  本発明のアルファベットバルーンの表面図。
【発明を実施するための形態】
【０００８】  以下、図面を用いて本発明の実施の形態を説明する。
４枚で構成されたシートにシート部（１）、シート部（２）、シート部（３）、シート部（４）、逆止弁（５）、空気層（６）を設け、シート部（１）、シート部（２）、シート部（３）、シート部（４）に熱溶着をしてシール加工を行い、シート部（２）、シート部（３）に熱溶着にて逆止弁（５）を取り付け、逆止弁（５）より気体を注入した際、シート部（２）、シート部（３）に空気層（６）を形成する４枚のシートを使ったエアー物。
【０００９】  図１は、本発明の４枚のシートの構成を示した説明図である。
本発明は、４枚のシートを熱加工にてシール加工を行い、シート部（２）、シート部（３）の間に逆止弁（５）を設け、逆止弁（５）から気体を注入し空気層（６）を形成させ、シート部（１）、シート部（２）の間、シート部（３）、シート部（４）の間には空気層を設けてはならない。
【００１０】  図３は、アルファベットバルーンを作成した場合の表面図である。
本発明によれば空気を注入した場合、外周部（７）、内周部（８）とは空気膨張率が異なり、外周部（７）より内周部（８）の方が、張りが強くなり、内周部（８）のシール部より破袋することが多いが、シート部（１）、シート部（２）、シート部（３）、シート部（４）を重ねてシールすることにより、内周部（８）より破袋することがなくなった。
【産業上の利用可能性】
【００１１】  本発明は、４枚のシートを熱溶着でシールを行うことにより、従来なかったエアー物への商品の提供が可能になった。【００１２】  また、４枚のシートにすることにより、空気膨張率が異なり、外周部（７）、内周部（８）のシールが安定し、外周部（７）の様なシールをしたバルーンの内部に新たに内周部（８）の様なシールをし、内周部（８）の内部をくり抜いた場合でも、安定したアルファベットや数字の様な複雑な形状のバルーンを形成させることが出来る商品の提供が可能になった。
【符号の説明】
【００１３】１  シート部
２  シート部
３  シート部
４  シート部
５  逆止弁
６  空気層
７  外周部
８  内周部
【図１】
2011024998.tif 000003
【図２】
2011024998.tif 000004
【図３】
2011024998.tif 000005
(57)【要約】      （修正有）【課題】寝ぐせ直し等の整髪は、手間がかかり、時間の無い朝等は特に煩わしいものであり、スプレーボトルとヘアーブラシを一体化する事により、時間と手間の軽減を図る。【解決手段】ヘアーブラシの把手部分５に着脱自在なスプレーボトル２を装着したスプレー付きヘアーブラシを提供し、片手でスプレーとブラッシングすることを可能とした。【選択図】図１
2011024976.tif 000002
【特許請求の範囲】
【請求項１】
ヘアーブラシの把手の内部にスプレーボトルを着脱自在に取り付けたことを特徴とするスプレー付きヘアーブラシ。
【発明の詳細な説明】
【技術分野】
【０００１】  本発明は起床時などによく起こる寝ぐせ等による頭の髪の毛の乱れを素早く簡単に整髪するスプレー付きヘアーブラシに関するものである。
【背景技術】
【０００２】  従来、寝ぐせ等の髪の毛の乱れを整髪したい場合、何らかの方法で髪の毛を濡らす手段が執られるがその場合衣服が不必要に濡れる等の問題が有り、比較的簡単な方法として水もしくは寝ぐせ直し様液体の入ったスプレーボトルを使用し水分を噴霧した上でヘアープラシに持ち替えブラッシングしヘアースタイルを整えている人が多い。  なお、ブラシの形状にあわせてスポンジを被せるように設けて水分を含ませ髪の汚れや寝ぐせをとる発明が知られている。（特許文献１）【特許文献１】特開２００１−３７５４６（Ｐ−２００１−３７５４６Ａ）
【発明の開示】
【発明が解決しようとする課題】
【０００３】  寝ぐせ直し等の整髪は、時間の無い朝などが多く、もっと手軽に素早く整髪が出来ないかというニーズが有った。なお且つ、寝ぐせは見え難い後頭部に起こることが多く、正確に作業を行うためには据え付け鏡と手鏡の二枚を同時に使用して見ることが一般的である。したがって手鏡、スプレーボトル、ヘアーブラシの三つの道具を二本の手で行わねばならず、どうしても途中で持ち替える事が必要となる為、煩わしさを否定出来なかった。殊に手の不自由な人にとってはなおの事であった。そこで本発明はスプレーボトルとヘアーブラシを一体化する事により時間と手間の軽減を図ろうと言うものである。本発明は以上の問題点を解決する為になされたものである。
【課題を解決する為の手段】
【０００４】  上記の問題点を解決するため本発明はヘアーブラシの把手部分に脱着可能なスプレーボトルを装着したスプレー付きヘアーブラシである。
【発明の効果】
【０００５】  スプレーボトルとヘアーブラシが一体化する事で持ち替える事無く片手で素早く簡単にスプレーとブラッシングが出来るようになった。又この効果により健常者の場合、逆の腕が空くため合わせ鏡等を手に持ち使用する事により見え辛い後頭部も常時確認しながら一連の整髪作業が出来るようになった。更に、非使用時、自立して置いておくこと可能とした事や壁掛けフック等に掛ける事も出来る様にした結果、何時でも手に取りやすい場所に保管する事が出来、場所も取らない。
【発明を実施する為の最良の形態】
【０００６】  以下、本発明の実施の形態を説明する。（イ）  ヘアーブラシ部分（１）の下部、通常のヘアーブラシの把手がある部分に脱着可能なスプレーボトル（２）をはめ込む為の開口部（３）を設ける。（ロ）  非使用時、本発明を自立して置く為に底部を平面型底部（４）とした。又壁掛けフック（９）等にも掛けることが出来るようにヘアーブラシ上部に小穴（１０）を設けた。  本発明は以上の様な構造である。  本発明を使用する時は、上記のスプレー付きヘアーブラシの把手部分（５）を手で持ちヘアーブラシ本体に装着されたスプレーボトルの頭部（６）に人差し指をかけ押す事によって中の液体を噴射させ霧状の水分を整髪したい部分に散布し髪の毛を湿らせ、そのままヘアーブラシ部分を用いてブラッシングして整髪する。  本発明を使用する事によりヘアーブラシとスプレーボトルを持ち替える事無く連続して片方の手で出来るようになった為、洗面台等の鏡の前でもう片方の手で合わせ鏡（７）を持ち、見え難い後頭部でも常時確認しながら作業が出来る。なお、スプレーボトルは本発明を持った状態で背面よりスプレーボトルの背面上部（８）を指で押すと僅かな負荷で外す事が出来、中の液体の補充、各パーツの洗浄、他のスプレーボトルへの交換等をした後、表側開口部（３）より再度押し込んで合体、装着させる。
【図面の簡単な説明】
【０００７】
【図１】本発明の斜視図
【図２】スプレーボトルを本体から分離した図
【図３】待機時、壁掛けフックに掛けた状態。
【図４】本発明を使用時の持ち方。
【図５】本発明使用時の様子
【図６】スプレーボトルの外し方。
【符号の説明】
【０００８】（１）ヘアーブラシ部分  （２）スプレーボトル  （３）スプレーボトルをはめ込む為の開口部  （４）平面型底部  （５）把手部分  （６）スプレーボトル頭部  （７）合わせ鏡  （８）スプレーボトル背面上部  （９）壁掛けフック  （１０）小穴
【図１】
2011024976.tif 000003
【図２】
2011024976.tif 000004
【図３】
2011024976.tif 000005
【図４】
2011024976.tif 000006
【図５】
2011024976.tif 000007
【図６】
2011024976.tif 000008
【手続補正書】
【提出日】平成21年11月27日(2009.11.27)
【手続補正１】
【補正対象書類名】特許請求の範囲
【補正対象項目名】全文
【補正方法】変更
【補正の内容】
【特許請求の範囲】
【請求項１】
ヘアーブラシの把手の内部にスプレーボトルを着脱自在に取り付けたことを特徴とするスプレー付きヘアーブラシ。
【請求項２】
把手の底部分を平らにし、床面に対し垂直に自立する事を可能とした請求項１のスプレー付きヘアーブラシ。
(57)【要約】【課題】靴を履くときに、特に運動靴などは靴の踵がつぶれる事が靴の踵に靴ベラを小さくした様な芯を入れ靴の踵がつぶれることが無く履ける靴ベラの要らない靴を提供する【解決手段】靴の踵に靴ベラを小さくした様な芯を入れ靴の踵がつぶれない様にした靴ベラの要らない靴。【選択図】図１
2011024975.tif 000002
【特許請求の範囲】
【請求項１】
靴のかかとに芯を入れ靴を履くときにかかとがつぶれないようにした靴べらの要らない靴
【発明の詳細な説明】
【技術分野】
【０００１】本発明は、靴を履くときに、靴ベラを使うことなくても、靴のかかとがつぶれないように靴のかかとに芯を入れた
靴ベラのいらない靴に関するものである
【背景技術】
【０００２】従来、靴を履くときは、靴ベラを使わないとかかとがつぶれてしまうことがあった、特にス二ーカなどはほとんどつぶれてしまっていた
【発明の開示】
【発明が解決しようとする課題】
【０００３】そのために次のような問題点があった。
革靴やス二ーカを履くときは靴ベラや手の指をつかい、はいていた
その為わずらわしさがあった。本発明は以上の問題をかいけつしようとするものである
【課題を解決するための手段】
【０００４】靴のかかとに靴ベラの代わりになる芯をいれかかとがつぶれない
靴ベラの要らない靴のことである
【発明の効果】
【０００５】本発明は、靴のかかとに靴ベラの様な芯を入れて靴を履くときに踵がつぶれないようにするものである
【発明を実施するための最良の形態】
【０００６】以下、本発明の実施の形態を説明する。
（イ）靴ベラを小さくした様な物（１）を靴の踵に取り付ける
本発明は、以上の構成よりなっている
本発明を使用するときは、上記の靴ベラを小さくした様な物を靴の踵に取り付けて、靴を履けば踵がつぶれることがなく靴が履ける
【図面の簡単な説明】
【０００７】
【図１】本発明の斜視図
【図２】本発明の分解斜視図
【符号の説明】
【０００８】１  靴の踵
２  靴ベラを小さくした物
【図１】
2011024975.tif 000003
【図２】
2011024975.tif 000004
(57)【要約】      （修正有）【課題】行政区画をかたどった形を組み合わせるパズルがあり、これには小さなパーツが紛失しやすく、鋭利な部分が棄損しやすい欠点があった。紛失・棄損のしやすさ、誤飲の危険性、可搬困難性などの欠点を減少した地図パズルを作成する。【解決手段】大きさが一定の透明なカード複数枚に、地図の一部を印刷するという製法でパズルを作成する。透明であるため重ね合わせても絵柄を見ることができる。【選択図】図２
2011024972.tif 000002
【特許請求の範囲】
【請求項１】
大きさが同一の透明なカードに地図の一部を印刷したパズル。
【発明の詳細な説明】
【技術分野】
【０００１】  この発明は、大きさが同一の透明カードに印刷した地図パズルに関するものである。
【背景技術】
【０００２】  従来、行政区画をかたどった形を組み合わせるという形態のパズルがあるが、これには小さなパーツが紛失しやすい、鋭利な部分が棄損しやすい、などの欠点があった。
【発明の開示】
【発明が解決しようとする課題】
【０００３】  従来型の地図パズルにおける以下の欠点の解決。
（イ）紛失のしやすさ。従来の地図パズルでは、大きさが多様であるため、紛失しやすかった。特に小さい行政区分を表したピースが紛失しやすいという問題がある。
（ロ）棄損のしやすさ。従来の地図パズルでは、行政区分の鋭利な部分が折れ曲がるなど棄損しやすいという問題がある。
（ハ）誤飲の危険性。従来の地図パズルでは、小さな行政区分を表したピースが含まれるため、児童がそれを誤飲するという危険性がある。
（ニ）可搬困難性。従来の地図パズルでは、大きさが多様であるため、持ち運ぶには箱や袋に入れたり、台紙にはめこむ必要がある。また、数を数えるのに手間がかかるため、すべてのピースがそろっているかを調べるのに手間がかかる。
【課題を解決するための手段】
【０００４】  大きさが一定の透明なカード複数枚に、地図の一部を印刷するという製法でパズルを作成する。透明であるため、カードを重ね合わせても絵柄を見ることができる。
【発明の効果】
【０００５】  大きさが一定になることにより、行政区分ごとの形態の差異が吸収され、紛失しにくくなる。カード型にすることにより鋭利な部分がなくなり、棄損しにくくなる。また誤飲の危険性も減少する。カードであるため、ゴムバンド等でとめる、ケースに入れるなどにより容易に収納、運搬することができる。
【図面の簡単な説明】
【０００６】
【図１】  神奈川県の例。
【図２】  パズルの一部を完成した例。重なっている部分は透明のため下のカードの絵が見える。
【図１】
2011024972.tif 000003
【図２】
2011024972.tif 000004
(57)【要約】【課題】パンを食べる時、今までは固まっているバターをパンの表面に塗っていたが、それでは塗りにくかったり、バターが足りない感じがしていた。本発明は、バターをパンに染み込ませるためのバター溶かし器を提供する。【解決手段】耐熱の器にバターを入れ、その器を電気であたためてバターを溶かすことを特徴とする。【選択図】図１
2011024971.tif 000002
【特許請求の範囲】
【請求項１】
耐熱の器にバターを入れ、その器を電気であたためてバターを溶かすことを特徴とするバター溶かし器。
【発明の詳細な説明】
【技術分野】
【０００１】  本発明は、バターを使う際のバター溶かし器に関するものである。
【技術背景】
【０００２】  従来、パンを食べる時は固まっているバターをパンの表面に塗っていたが、それでは塗りにくかったり、バターが足りない感じがしていた。
【発明の概要】
【発明が解決しようとする課題】
【０００３】  バターをパンに染み込ませる。
そのため、次のような問題点があった。
パンにバターを塗るのに表面だけしか塗れなかった。本発明は、これらの問題点を解決するためになされたものである。
【課題を解決するための手段】
【０００４】  耐熱の器にバターを入れ、その器を電気であたためてバターを溶かす器。
以上を特徴とするバター溶かし器である。
【発明の効果】
【０００５】  パンを食べる時はもちろん、和・洋・中華と料理の時にも使え、特に洋食は絶対に必要だと思う。各家庭、喫茶店から食事処まで器の大・小で対応できる。
【図面の簡単な説明】
【０００６】
【図１】  本発明の側面図
【発明を実施するための最良の形態】
【０００７】  以下、本発明の実施の形態を説明する。
（イ）耐熱のプラスチックの丸い器の１ケ所に溶かしたバターを流すための注ぎ口を作る。
（ロ）耐熱の器の上部にパンくずを取るための網状のフィルターをつける。
（ニ）耐熱の器とは別に重いプラスチック製の熱源を作る。
（ホ）熱源は、コードと電池の両方使えるようにし、ＯＮ・ＯＦＦのスイッチをつける。
（ヘ）熱源には、温度設定と保温の機能をつける。
本発明は以上のような構造である。
本発明を使用する時は、熱源の上に専用の器をセットしてバターを入れ、スイッチをＯＮにしてバターを溶かす。溶けたバターにパンを浸して食べる。
【符号の説明】
【０００８】  ▲１▼細かい目の金属
▲２▼耐熱・耐火プラスチック
▲３▼スイッチ
▲４▼差込コード
▲５▼電池
【図１】
2011024971.tif 000003
(57)【要約】【課題】従来の便蓋の色、柄は固定的、静的なものであり、飽きがくる。トイレに行くことが楽しく、また気分の転換にもなるような便器を提供する。【解決手段】便蓋表面に部分的もしくは全面的に電子ペーパーを取り付け、人々が用を足すため便蓋を開閉する度に蝶番に設けられたセンサーが感知し便蓋表面の柄と色が変化するようにする。【選択図】図１
2011024973.tif 000002
【特許請求の範囲】
【請求項１】
便蓋表面に電子ペーパーを取り付けたもの。
【請求項２】
入力手段制御部、外部記憶媒体制御部、ＣＰＵ、内部記憶部、ディスプレイ制御部等の駆動装置を便蓋内部に収納したもの。
【請求項３】
任意の画像データをメモリーチップ等の記憶媒体から取り込むための入力ポートを駆動装置に設けたもの。
【請求項４】
請求項１の便蓋を開閉する都度、色、柄が変化するもの。
【請求項５】
便蓋表面の電子ペーパーの画像を変化させるための、信号を送るセンサーを蝶番に取り付けたもの。
【発明の詳細な説明】
【技術分野】
【０００１】洋式便器の便蓋に電子ペーパーを利用する技術である。
【背景技術】
【０００２】近年、有機ＥＬや電子粉流体を使ったディスプレイ等、薄く、しかも画像保持に使用電力が極めて少ない、いわゆる電子ペーパーが開発された。
【発明の開示】
【発明が解決しようとする課題】
【０００３】従来の便蓋の色、柄は固定的、静的なものであり、飽きがくる。トイレに行くことが楽しく、また気分の転換にもなるような便器を提供する。
【課題を解決するための手段】
【０００４】便蓋表面に部分的もしくは全面的に電子ペーパーを取り付け、人々が用を足すため便蓋を開閉する度に蝶番に設けられたセンサーが感知し便蓋表面の柄と色が変化するようにする。
【発明の効果】
【０００５】人々がトイレで用を足す度に便蓋の色、柄も変化するわけであり、新鮮な気分になれる。
業務用であれば「いつも清潔に」「水はきちんと流しましょう」等のメッセージを放映させマナーの向上にも役立つ。飲食店等であれば新メニュー等の宣伝も出来る。また便蓋の色を様々に変化させらるので、商品を選択するとき、どの色にするか迷うこともなくなる。
【発明を実施するための最良の形態】
【０００６】図面に添ってこの形態を説明する。
１は便蓋に取り付けられた電子ペーパーである。２は電子ペーパーの駆動ユニットである。
３は蝶番に取り付けられた便蓋の開閉を感知するセンサーである。４は便蓋の開閉の都度、柄が変化する一連の動きを例示する。５はシステム図である。
【産業上の利用可能性】
【０００７】新しい美的要素を持つ便蓋。マナー向上ツール。広告媒体。
【図面の簡単な説明】
【０００８】
【図１】実施形態及び構成要素を示した図である。
【図１】
2011024973.tif 000003
(57)【要約】【課題】  従来のトランプカードよりも多人数で楽しく遊べるトランプカードを提供する。【解決手段】  従来の一組５３枚から成るトランプカードのマークのスペード、ハート、ダイヤ、クラブとは異なるトランプカードのマークを１種類又は複数種類追加することにより、一組５３枚以上から成ることを特徴とするトランプカード。【選択図】図１
2011024977.tif 000002
【特許請求の範囲】
【請求項１】
従来の一組５３枚から成るトランプカードのマークのスペード、ハート、ダイヤ、クラブとは異なるトランプカードのマークを１種類又は複数種類追加することにより、一組５３枚以上から成ることを特徴とするトランプカード。
【発明の詳細な説明】
【技術分野】
【０００１】  本発明は、従来のスペード、ハート、ダイヤ、クラブから成る一組５３枚のトランプカードで遊べる人数よりも多くの人数で遊べるトランプカードに関するものである。
【背景技術】
【０００２】  従来、トランプカードは一組５３枚のカードで、スペード、ハート、ダイヤ、クラブの各１３枚ずつの４組とジョーカー１枚があり、各一組は王のキング、女王のクイーン、兵卒のジャックの３枚の絵札およびエースのＡから１０までの１０枚の数札から成る。そのため、ゲームをする人数が多人数になると持ちトランプカードが少なくなり、遊べる人数や遊べるゲームが限られていた。
【発明の概要】
【発明が解決しようとする課題】
【０００３】  そのために、次のような問題点があった。
（イ）ゲームをする人数が多人数になることで、持ちトランプカードが少なくなりゲームの進行に支障があった。
（ロ）多人数でゲームをする時は、持ちトランプカードが少なくなるためゲームの種類に限りがあった。
本発明は以上の問題点を解決するためになされたものである。
【課題を解決するための手段】
【０００４】    従来の一組５３枚から成るトランプカードのマークのスペード、ハート、ダイヤ、クラブとは異なるトランプカードのマークを１種類又は複数種類追加することにより、一組５３枚以上から成ることを特徴とするトランプカード。
【発明の効果】
【０００５】  マークを追加し持ちカードが増えることで多人数でも遊べてゲームの種類の巾も広がる。
【発明を実施するための最良の形態】
【０００６】  以下、本発明の実施の一例を図１を用いて説明する。
（イ）上段と中段はスペード、ハート、ダイヤ、クラブから成る従来のトランプカード（１）である。これに下段に示すように、スペード、ハート、ダイヤ、クラブとは異なる２種類の追加のマーク（３）と（４）が、従来のトランプカード（１）と同一寸法の追加のマークを付したトランプカード（２）であって、ジョーカーを除いて７８枚を１セットとし作成した。勿論、本実施例のトランプカードにジョーカーを１枚又は複数枚追加して遊んでも良い。
（ロ）本実施例では、追加のマーク（３）（４）を２種類にしたが、マークの異なるものをさらに追加すればより多人数でのゲームを楽しめることができる。追加するマークの種類は１種類でも良いし、もっと多くの２種類から成っても良い。
【図面の簡単な説明】
【０００７】
【図１】本発明の斜視図
【符号の説明】
【０００８】  １  従来のトランプカード
２  追加のマークを付したトランプカード
３  追加のマーク
４  追加のマーク
【図１】
2011024977.tif 000003
(57)【要約】【課題】従来の美容ファンデーション用コンパクトの蓋の柄は印刷や塗装による固定的、静的なものであり、飽きがくる。美しさを求める人々がもっとロマンを感じる動的でワクワクする蓋の意匠を提供する。【解決手段】美容ファンデーション用コンパクトの蓋外部表面に電子ペーパーを取り付け、人々がお化粧のため蓋を開閉する度に蓋外部表面の柄と色が変化するようにする。【選択図】図１
2011024958.tif 000002
【特許請求の範囲】
【請求項１】
美容ファンデーション用のコンパクトケースの蓋外部表面に電子ペーパーを取り付けたもの。
【請求項２】
請求項１のコンパクトケースにあって蓋を開閉させる都度、電子ペーパーの画像が変化するもの。
【請求項３】
蓋外部表面の電子ペーパーの画像を変化させるための、信号を送るセンサーを蝶番に取り付けたもの。
【発明の詳細な説明】
【技術分野】
【０００１】美容ファンデーション用コンパクトの蓋に電子ペーパーを利用する技術である。
【背景技術】
【０００２】近年、有機ＥＬや電子粉流体を使ったディスプレイ等、薄く、しかも画像保持に使用電力が極めて少ない、いわゆる電子ペーパーが開発された。
【発明の開示】
【発明が解決しようとする課題】
【０００３】従来の美容ファンデーション用コンパクトの蓋の柄は印刷や塗装による固定的、静的なものであり、飽きがくる。美しさを求める人々がもっとロマンを感じワクワクする蓋の意匠を提供する。
【課題を解決するための手段】
【０００４】美容ファンデーション用コンパクトの蓋外部表面に電子ペーパーを取り付け、人々がお化粧のため蓋を開閉する度に蓋外部表面の柄と色が変化するようにする。
【発明の効果】
【０００５】人々がファンデーションを塗り、お化粧（変身）する度にコンパクトの蓋の柄も変化するわけであり、変身願望をサポートする道具として極めて効果の高いものとなる。
【発明を実施するための最良の形態】
【０００６】図面に添ってこの形態を説明する。
１は美容ファンデーション用コンパクトの蓋に取り付けられた電子ペーパーである。２は電子ペーパーの柄を変えるための小型電子機器が収納されている蓋である。３は蓋とファンデーション収納部とを連結する蝶番である。４は蓋の開閉を感知するプッシュ式のセンサーであり画像を変化させる信号を２内部のＣＰＵ等の電子機器に送る。５は蓋の開閉の都度、柄がチョウ柄からハート柄、さらに花柄に変化する一連の動きを示す。
【産業上の利用可能性】
【０００７】新型の美容ファンデーション用コンパクトの蓋。
【図面の簡単な説明】
【０００８】
【図１】実施形態及び構成要素を示した図である。
【図１】
2011024958.tif 000003
(57)【要約】【課題】箸箱及び箸立てを本来の機能を失う事無く、食材の教育機器、企業の広告媒体、イメージ画像のツールとして利用するための、静止画及び動画を放映出来る商品を提供する。【解決手段】箸箱や箸立ての表面に薄い屈曲するディスプレイを取り付け、その駆動ユニットは箸収納容器内部のいずれかの場所に収納する。画像や文字のデータはあらかじめ内蔵する。また任意のコンテンツも放映出来るようにするため外部記憶媒体のデータを取り込むための入力ポートを箱の裏面に設ける。横置きの箸箱にあっては蓋の開閉をそのまま画像を変化させるスイッチとしてもよい。縦置きの箸立てにおいては人体感知センサーあるいはボタン操作により画像を変化させる。【選択図】図１
2011024956.tif 000002
【特許請求の範囲】
【請求項１】
電子ペーパー等、自発光式の薄いディスプレイを横置き箸箱の蓋表面に取り付け入力手段制御部、外部記憶媒体制御部、ＣＰＵ、内部記憶部、ディスプレイ制御部等の駆動装置をその箸箱内部に収納したもの。
【請求項２】
箸箱の蓋を開閉する都度、開閉を感知するセンサー、もしくはボタン操作により表面ディスプレイの画像を変化させるもの。
【請求項３】
箸を立てた状態で収納する円柱形、角柱形の箸立てにおいて、その外表面に薄くて屈曲するディスプレイを取り付けたもの。
【請求項４】
請求項３のディスプレイの画像を、駆動装置を通じて変化させるため、プッシュ式ボタンもしくは人体感知センサーを箸立て表面のいずれかの部分に取り付けたもの。
【請求項５】
請求項１の横置き箸箱及び請求項３の円柱形、角柱形の箸立てにおいて、ディスプレイの画像を内部記憶データによらない任意の画像にするための入力ポートを備え、任意の記憶チップやメモリースティックのデータを取り込めるようにしたもの。
【発明の詳細な説明】
【技術分野】
【０００１】電子ペーパー等薄型のディスプレイを箸箱及び箸立てに利用する技術である。
【背景技術】
【０００２】近年、有機ディスプレイや電子粉流体等薄く、しかも画像保持に使用電力が極めて少ない動画や静止画等のディスプレイ装置が複数開発された。
【発明の開示】
【発明が解決しようとする課題】
【０００３】箸箱や箸立てを本来の機能を失う事無く、食材の教育機器、企業の広告媒体、店内のイメージ向上のツール、何らかの画像や文字メッセージを放映できる商品を提供する。
【課題を解決するための手段】箸箱の蓋や箸立ての表面に薄い屈曲するディスプレイを取り付け、その駆動ユニットは箸収納容器内部のいずれかの場所に収納する。画像や文字のデータはあらかじめ内蔵する。また任意のコンテンツも放映出来るようにするため外部記憶媒体のデータを取り込むための入力ポートを箱の裏面に設ける。横置きの箸箱にあっては蓋の開閉をそのまま画像を変化させるスイッチとしてもよい。縦置きの箸立てにおいては人体感知センサーあるいはボタン操作により画像を変化させる。【０００４】
【発明の効果】
【０００５】例えば、寿司店においては寿司ネタの解説や、そば屋においてはそば打ちの手順等を客が箸を取り出す度に図示することができる。また、居酒屋、ビアーホール、社員食堂等で飲料等の新製品プロモーションのためのアニメ化されたコンテンツを放映すれば有効な広告媒体となりうる。イメージ画像を放映すれば店内の雰囲気が向上する。
【発明を実施するための最良の形態】
【０００６】図面に添ってこの形態を説明する。
１はフレキシブルなディスプレイを取り付けた箸箱の蓋表面である。２は箸箱本体である。３は人が蓋を開閉したことをセンサーが感知し蓋表面の画像が、えびからまぐろに変化した様子を示す。４は本システムのモデル図である。図示しない円柱形、角柱形等縦置きの箸立てにおいても同様のシステムであるが、画像の切り替えはセンサー、ボタン操作のいずれかによる。
【産業上の利用可能性】
【０００７】飲食店や社員食堂における食材教育機器。店内イメージ向上のツール。アニメ、動画を放映出来る広告媒体。
【図面の簡単な説明】
【０００８】
【図１】実施形態及び構成要素を示した図である。
【図１】
2011024956.tif 000003